(57)【要約】【課題】電源スイッチのオン／オフを早く繰り返しても、ＥＥＰＲＯＭの誤書き込みが生じない電子制御装置を提供すること。【解決手段】電気的にデータの消去及び書き込み可能で、かつ電源投入時の書き込み禁止機能を有するパワーオンリセット回路が内蔵されている不揮発性メモリを実装した電子制御装置において、不揮発性メモリに供給される供給電圧に応じて不揮発性メモリに供給する通電をオン／オフする不揮発性メモリ用電源オン／オフ回路を設けたことを特徴とする。【選択図】  図１
2004199375.tif 000002
【特許請求の範囲】
【請求項１】
電気的にデータの消去及び書き込み可能で、かつ電源投入時の書き込み禁止機能を有するパワーオンリセット回路が内蔵されている不揮発性メモリを実装した電子制御装置において、
前記不揮発性メモリに供給される供給電圧に応じて不揮発性メモリに供給する通電をオン／オフする不揮発性メモリ用電源オン／オフ回路を設けたことを特徴とする電子制御装置。
【請求項２】
電気的にデータの消去及び書き込み可能で、かつ電源投入時の書き込み禁止機能を有するパワーオンリセット回路が内蔵されている不揮発性メモリと、この不揮発性メモリに電気を供給する電圧が５Ｖの５Ｖ電源回路とを有する電子制御装置において、
前記不揮発性メモリに供給する通電をオン／オフする不揮発性メモリ用電源オン／オフ回路を設け、前記オン／オフの作動を前記５Ｖ電源回路が有する低電圧監視機能による判定信号により行なうことを特徴とする電子制御装置。
【請求項３】
電気的にデータの消去及び書き込み可能で、かつ電源投入時の書き込み禁止機能を有するパワーオンリセット回路が内蔵されている不揮発性メモリと、この不揮発性メモリに電気を供給する電圧が５Ｖの５Ｖ電源回路と、前記不揮発性メモリに書き込むデータの演算等を行なう演算装置とを有する電子制御装置において、
前記不揮発性メモリに供給する通電をオン／オフする不揮発性メモリ用電源オン／オフ回路を設け、前記オン／オフを指示する出力信号を演算装置で作成することを特徴とする電子制御装置。
【請求項４】
請求項２または３に記載された電子制御装置にあって、
前記５Ｖ電源回路は、脈流を平滑する平滑コンデンサを有することを特徴とする電子制御装置。
【請求項５】
請求項２から４のいずれか一つに記載された電子制御装置にあって、
前記オン／オフの作動は、前記５Ｖ電源回路から前記不揮発性メモリに供給される電圧を基準になる低電圧監視設定電圧に比較して行なうことを特徴とする電子制御装置。
【請求項６】
請求項２から６のいずれか一つに記載された電子制御装置にあって、
前記不揮発性メモリには自動車の運転やエンジンの回転等に関する各種情報を書き込むことを特徴とする車載用電子制御装置。
【請求項７】
請求項２から６のいずれか一つに記載された電子制御装置にあって、
前記５Ｖ電源回路は、バッテリーから供給される電圧を降下するチョピング回路を含み、チョピング回路のチョッピングで生じた脈流を平滑コンデンサで平滑するようにしたことを特徴とする電子制御装置。
【発明の詳細な説明】
【０００１】
【発明の属する技術分野】
本発明は、電子制御装置係り、特に電気的にデータの消去及び書き込み可能である不揮発性メモリを内蔵した車載用電子制御装置を含む電子制御装置に関する。
【０００２】
【従来の技術】
従来、車載用電子制御装置の電源スイッチが、オン／オフを繰返した時の不揮発性メモリの電源電圧が最低動作電圧以下になった時、パワーオンリセット回路（通称）が動作する電圧まで低下することを考慮していなかった。
【０００３】
【発明が解決しようとする課題】
電源投入時の書き込み禁止状態にする機能（パワーオンリセット回路）を内蔵するＥＥＰＲＯＭと称される不揮発性メモリは、電源投入時の電圧が、０．２Ｖ以下から立ち上げ無ければ、パワーオンリセット回路が動作せず誤書き込みが、発生する可能性があった。
【０００４】
車載用電子制御装置を含まれる電子制御装置においては、種々のセンサ及び他の車載用電子制御装置等が接続され、電源の回り込みが発生し該車載用電子制御装置の電源がオフされているにもかかわらず、車載用電子制御装置の内部電源電圧が、上記パワーオンリセット回路を正常に作動させる０．２Ｖ以下の電圧まで降下しないため、誤書き込みが発生してＥＥＰＲＯＭに記憶されているデータが破壊される可能性があった。
【０００５】
車載用電子制御装置内の５Ｖ電源回路出力に平滑用コンデンサが有るため、電源スイッチをオン／オフ繰り返しに際し、ＥＥＰＲＯＭの電源電圧が、０．２Ｖ以下にならずパワーオンリセット回路が動作しない状態から、電源が立ち上がるので、ＥＥＰＲＯＭ内で誤書き込みが、発生してデータが破壊される可能性があった。
【０００６】
本発明は、上記の問題に鑑み、電源スイッチのオン／オフを早く繰り返しても、ＥＥＰＲＯＭの誤書き込みが生じない電子制御装置を提供することを目的とする。
【０００７】
【課題を解決するための手段】
本発明は、電気的にデータの消去及び書き込み可能で、かつ電源投入時の書き込み禁止機能を有するパワーオンリセット回路が内蔵されている不揮発性メモリを実装した電子制御装置にあって、不揮発性メモリに供給される供給電圧に応じて不揮発性メモリに供給する通電をオン／オフする不揮発性メモリ用電源オン／オフ回路を設けたことを特徴とする。
【０００８】
前記問題を防ぐ為には、車載用電子制御装置内の５Ｖ電源回路とＥＥＰＲＯＭの電源ピンの間にＥＥＰＲＯＭの電源をオン／オフできる電源オン／オフ回路を設けＥＥＰＲＯＭの電源の立上りと立ち下がりを敏速に行なうことで対策ができる。
【０００９】
【発明の実施の形態】
以下、本発明の実施形態に係わる実施例を図を引用して説明する。
【００１０】
この実施例は、本発明に係わる電子制御装置を車載用電子制御装置に適用したものである。
【００１１】
図１は、本発明に係わる車載用電子制御装置のブロック図である。
【００１２】
車載用電子制御装置１００は、供給電圧が５Ｖの５Ｖ電源回路１０１と、演算処理装置（ＣＰＵ）１０２と、ＥＥＰＲＯＭ１０３、電源オン／オフ回路１０４を有する。
【００１３】
５Ｖ電源回路１０１は、スイッチ１０６を介してバッテリー１０５から供給される１２Ｖの供給電圧を５Ｖに降下させる降下用のチョピング回路を有する。平滑コンデンサ１１０は、チョピング回路のチョピングで生じた脈流を平滑するものである。
【００１４】
５Ｖ電源回路１０１は、５Ｖの出力を演算装置(ＣＰＵ)１０２や不揮発性メモリ（ＥＥＰＲＯＭ）１０３に供給する。不揮発性メモリ（ＥＥＰＲＯＭ）１０３には、電源オン／オフ回路１０４を介して供給される。５Ｖ電源回路１０１の電力は、ここに図示されていないＩ／Ｏ回路のＬＳＩ等にも供給される。
【００１５】
ＥＥＰＲＯＭ１０３は、ＣＰＵ１０２のデータが信号線１０７を通じて書き込まれる可能な不揮発性のメモリである。またＥＥＰＲＯＭは、１ビットから書き込みができ、しかも書き込みが１００万回もできる特徴が備わる。
【００１６】
この不揮発性メモリ（ＥＥＰＲＯＭ）１０３に書き込まれたデータは、スイッチ１０６を開いて、バッテリー１０５から供給される電気が切れた後も記憶しておくことができる機能をもっている。不揮発性メモリ（ＥＥＰＲＯＭ）１０３は、パワーオンリセット回路を内蔵している。パワーオンリセット回路が内蔵されている不揮発性メモリを、通常、ＥＥＰＲＯＭと称する。ＥＥＰＲＯＭは、パワーオンリセット回路により、電源投入時の書き込み禁止が行なわれるもので、書き込みエラーが図られている。
【００１７】
演算装置（ＣＰＵ）１０２は、自動車の運転やエンジンの回転等に関する種々のデータを演算処理する。この演算処理で作られた種々の情報は、必要に応じＥＥＰＲＯＭ１０３に書き込みで、記憶保存される。またＥＥＰＲＯＭ１０３より読み出されて自動車の運転に利用される。
【００１８】
５Ｖ電源回路１０１は、低電圧監視機能を備えている。この低電圧監視機能がもたらす判定信号１０８は、電源オン／オフ回路１０４に入力される。この判定信号１０８により、電源オン／オフ回路１０４はオン／オフし、ＥＥＰＲＯＭ１０３に供給する電気のオン／オフが行なわれる。
【００１９】
上記電源オン／オフ回路１０４のオン／オフ動作について述べる前に、図２に示すタイミングチャートを引用して電源オン／オフ回路１０４を備えない従来の回路の不具合について説明を加える。
【００２０】
スイッチ１０６をオン状態からオフ状態にすると、演算装置（ＣＰＵ）１０２やＥＥＰＲＯＭ１０３の電気を供給する供給電圧、つまり、ＶＣＣ１０９とＥＥＰＲＯＭ１０３の電源端子電圧は５Ｖからゼロに低下する。再び、スイッチ１０６をオン状態すると、５Ｖになる。
【００２１】
しかし、オン状態からオフ状態にした後、直ぐにオン状態に戻すと、ＶＣＣ１０９とＥＥＰＲＯＭ１０３の電源端子電圧はゼロまで下がらずに５Ｖにもどる。これは５Ｖ電源回路１０１の内部に平滑コンデンサ１１０が存在するからである。
【００２２】
すなわち、スイッチ６がオフになっている状態の時間が短いと、ＥＥＰＲＯＭ１０３の電源端子電圧は、ＥＥＰＲＯＭ最低動作電圧より低下しても、ＥＥＰＲＯＭ１０３の機能であるパワーオンリセット回路が動作する電圧以下にならなければ、ＥＥＰＲＯＭ１０３の誤書きこみが発生し、記憶データが破壊されてしまう可能性がある。因みに、誤書きこみが発生するスイッチ６のオフ状態の短い時間とは、１．６秒程度であるので、誤書き込みは生じやすい。
【００２３】
本発明は、このＥＥＰＲＯＭ１０３の誤書きこみが発生を電源オン／オフ回路１０４を用いて防止するもので、図３のタイミングチャートに沿って説明する。
【００２４】
スイッチ１０６をオン状態からオフ状態すると、ＶＣＣ１０９の電圧が下がる。この電圧降下は５Ｖ電源回路１０１の低電圧監視機能で監視され、基準になる低電圧監視設定電圧に比較しながら、低電圧監視機能は判定信号１０８を出す。電源オン／オフ回路１０４は、判定信号１０８が、ＨＩＧＨのときＥＥＰＲＯＭ１０３に電源を供給し、判定信号１０８が、ＬＯＷのときＥＥＰＲＯＭ１０３の電源が遮断される。
【００２５】
電源オン／オフ回路１０４がオフすると、ＥＥＰＲＯＭ１０３の電源端子電圧は、瞬間的にゼロになり、５Ｖ電源回路１００内の平滑用コンデンサの影響がでることは無い。これにより、ＥＥＰＲＯＭ１０３の電源端子電圧は、ＥＥＰＲＯＭ１０３の最低動作電圧はもちろん、パワーオンリセット回路の動作電圧以下まで低下する。
【００２６】
スイッチ１０６をオフした後、直ちにスイッチ１０６をオンに戻しても、ＥＥＰＲＯＭ１０３の電源端子電圧は、ゼロ電圧から立ち上がることになるので、誤書きこみが発生することが無い。
【００２７】
また、車載用電子制御装置１００に接続される図示していない外部負荷及びセンサ等からの回り込みで、５Ｖ電源回路１０１の出力であるＶＣＣ１０９の電圧が持ち上がっても５Ｖ電源回路１０１の機能である低電圧監視機能の出力である判定信号１０８がＬＯＷ状態であるため、電源オン／オフ回路１０４は、オフ状態にあり、ＥＥＰＲＯＭ１０３の電源端子電圧は、ＥＥＰＲＯＭ１０３の機能であるパワーオンリセット回路の動作電圧以上になることが無い。
【００２８】
次に図４に示す他の実施例について述べる。
【００２９】
電源オン／オフ回路１０４を制御する信号は、演算処理装置（ＣＰＵ）１０２の出力信号１１１から出力される。それ以外は、図１と同様の構成であるので、ＣＰＵ１０２の出力信号１１１から電源オン／オフ回路１０４に出力されるまでのところを主に説明する。
【００３０】
スイッチ１０６が、オフ状態になると車載用電子制御装置１００の電源が遮断され５Ｖ電源回路１０１の出力であるＶＣＣ１０９の電圧が、低下する。ＣＰＵ１０２の内部機能であるＡ／Ｄ変換器１１２とＶＣＣ１０９は、接続されておりＡ／Ｄ変換器にて随時モニタしておりＶＣＣ１０９の電圧がＥＥＰＲＯＭ１０３の最低動作電圧以下になる前にＣＰＵ１０２の出力信号１１１の出力をＬＯＷにすることで、図１と同様にＥＥＰＲＯＭ１０３の電源端子電圧をＥＥＰＲＯＭ１０３の内部機能であるパワーオンリセット回路が動作する電圧以下に設定出来ることになる。また、ＣＰＵ１０２の出力信号１１１の出力制御は、ＥＥＰＲＯＭ１０３を必要としないときは、ＬＯＷを出力することで、スイッチ６が、オン／オフされても、ＥＥＰＲＯＭ１０３の内部機能であるパワーオンリセット回路を動作させることが出来る。
【００３１】
以上、本発明の実施形態について詳述したが、本発明は前記実施形態に限定されるものではなくい。
【００３２】
例えば、実施形態では、５Ｖ電源回路の機能である低電圧監視機能の判定信号を利用して電源オン／オフ回路をオン／オフさせることにしたが、電源オン／オフ回路の信号を専用の電圧検出回路を設けることも実施可能である。
【００３３】
上記した実施例の良さをまとめて述べる。
【００３４】
本発明の不揮発性メモリの電源オン／オフ回路により、５Ｖ電源回路の平滑用コンデンサの影響無くＥＥＰＲＯＭの電源電圧立上り及び立ち下がりを敏速に行なうことができる。このため、車載用電子制御装置の電源がオン／オフを繰り返してもＥＥＰＲＯＭの電源電圧が、最低動作電圧以下になったらパワーオンリセット回路の動作電圧０．２Ｖ以下に出来る。
【００３５】
車載用電子制御装置に接続されるセンサや負荷及び他の車載用電子制御装置からの電源回り込みで当該車載用電子制御装置内の５Ｖ電源回路出力が上記、ＥＥＰＲＯＭのパワーオンリセット回路の動作電圧である０．２Ｖ以下にならなくてもＥＥＰＲＯＭの電源電圧は、０Ｖにすることができる。この状態から電源を立ち上げてもＥＥＰＲＯＭは、誤書き込みをすることなく記憶データの保持が可能である。
【００３６】
【発明の効果】
本発明によれば、ＥＥＰＲＯＭの誤書き込みを防止することができる。
【図面の簡単な説明】
【図１】本発明の実施例に係わるもので、車載用電子制御装置のブロック図。
【図２】従来例に係わる車載用電子制御装置のスイッチオン／オフを繰り返したときのタイミングチャート図。
【図３】本発明に係わる車載用電子制御装置のスイッチオン／オフを繰り返したときのタイミングチャート図。
【図４】本発明の他の実施例に係わるもので、車載用電子制御装置のブロック図。
【符号の説明】
１００…車載用電子制御装置、１０１…５Ｖ電源回路、１０２…演算処理装置（ＣＰＵ）、１０３…不揮発性メモリ（ＥＥＰＲＯＭ）、１０４…電源オン／オフ回路、１０５…バッテリー、１０６…スイッチ、１０７…信号線、１０８…判定信号、１０９…ＶＣＣ、１１０…平滑用コンデンサ、１１１…出力信号、１１２…Ａ／Ｄ変換器。
【図１】
2004199375.tif 000003
【図２】
2004199375.tif 000004
【図３】
2004199375.tif 000005
【図４】
2004199375.tif 000006